(57)【要約】【課題】  歩行しやすく使用者に対する負担が少ない杖を実現する。【解決手段】  使用者の脇を支える脇当て部３と、使用者が握持するための握持部２を有する杖において、後方に向かって弧状に湾曲した棒状の杖体１の内周側に脇当て部と握持部を突設すると共に、杖体の下端が上記の脇当て部から下降する垂線より後方に位置するように湾曲度合いを設定する。【選択図】      図１
0003125698.tif 000002
【実用新案登録請求の範囲】
【請求項１】
使用者の脇を支える脇当て部と、使用者が握持するための握持部を有する杖において、後方に向かって弧状に湾曲した棒状の杖体の内周側に脇当て部と握持部を突設すると共に、杖体の下端が上記の脇当て部から下降する垂線より後方に位置するように湾曲度合いを設定したことを特徴とする杖。
【請求項２】
使用者の脇を支える脇当て部と、使用者が握持するための握持部を有する杖において、後方に向かって弧状に湾曲した棒状の杖体の内周側に脇当て部と握持部を突設すると共に、杖体の下端が上記の脇当て部から下降する垂線より後方に位置するように湾曲度合いを設定し、更に杖体に対して上下方向に揺動自在となるように脇当て部の一端を杖体に枢支すると共に所定の角度で固定可能な手段を設けたことを特徴とする杖。
【請求項３】
使用者の脇を支える脇当て部と、使用者が握持するための握持部を有する杖において、後方に向かって弧状に湾曲した棒状の杖体の内周側に脇当て部と握持部を突設すると共に、杖体の下端が上記の脇当て部から下降する垂線より後方に位置するように湾曲度合いを設定し、更に杖体に対して上下方向に揺動自在となるように脇当て部の一端を杖体に枢支すると共に、所定の負荷以下では脇当て部が揺動軌跡の一点に止まるように付勢力により脇当て部の動きを規制したことを特徴とする杖。
【請求項４】
使用者の脇を支える脇当て部と、使用者が握持するための握持部を有する杖において、後方に向かって弧状に湾曲した棒状の杖体の内周側に脇当て部と握持部を突設すると共に、杖体の下端が上記の脇当て部から下降する垂線より後方に位置するように湾曲度合いを設定し、更に杖体に対して上下方向に揺動自在となるように脇当て部の一端を杖体に枢支すると共に、所定の負荷以下では脇当て部が揺動軌跡の一点に止まるように付勢力により脇当て部の動きを規制し、上記揺動軌跡の一点が存する角度は予め所望の角度に設定可能としたことを特徴とする杖。
【請求項５】
杖体の先端を伸縮自在とすると共に伸長方向に付勢した請求項１から４の何れかに記載の杖。
【考案の詳細な説明】
【技術分野】
【０００１】
この考案は杖に関し、より詳細には足に障害がある人が脇の下に入れて体を支えて歩行するための杖に関する。
【背景技術】
【０００２】
足に障害がある使用者の脇を支える脇当て部を上端に、使用者が握持するための握持部を中途に備え、脇当て部を使用者の脇の下に入れて杖で体重を支えると共に、把持部を持って脇当て部を軸として杖を揺動させて繰り出すことにより歩行を支援するための杖がいわゆる松葉杖として知られている。
【０００３】
そして、前記の松葉杖としては下方に向かって収束する前後２本の部材で杖体を構成し、上記２本の部材の上端に脇当て部を設けると共に、部材の中途にそれらに架け渡すように把持部を設けた二重式のものと（特許文献１）、１本の杖体の上端に脇当て部を設けると共に、杖体の中途に把持部を突設した１本式のもの（特許文献２及び３）が公知である。
【特許文献１】特開昭６２−１２７０５２号公報
【特許文献２】実願昭５７−１２７８４７号（実開昭５９−３３４１６号）のマイクロフィルム
【特許文献３】実願昭４６−１２７１２号（実開昭４７−１１５９５号）のマイクロフィルム
【考案の開示】
【考案が解決しようとする課題】
【０００４】
前記の従来技術の杖は二重式のものは脇当て部の直下に杖体の先端が位置し、これが地面に当接した。また、１本式のもののうち、杖体の上端の脇当て部が後方に向かって突設された特許文献２に記載のものは脇当て部の前方の直下に杖体の先端が位置し、同じく杖体の上端の脇当て部が前後に向かって突設された特許文献３に記載のものは脇当て部の直下に杖体の先端が位置し、これが地面に当接した。
【０００５】
本願考案の考案者は前記の従来技術の杖を検討したところ、杖を頼りに使用者が前方に歩行しようとする場合、使用者は杖を使って前方に体重を移動しようとするが、移動前の使用者の荷重は脇の直下に加わっているので、杖体の先端が荷重と同方向の脇の直下或いは前方に位置することは、これらが荷重が加わる位置と同位置或いは後方に位置することを意味し現状にそぐわないことを発見した。
【０００６】
また、杖体の先端が脇の直下或いは前方に位置すると、路上に例えば段差や障害物がある場合に振り出した杖体の先端が先ずこれらに衝突するので、これを回避するために歩幅を意識的に縮めなければならない現象が生じることも発見した。
【課題を解決するための手段】
【０００７】
この考案は以上の従来技術の杖の現状に鑑みて創作されたものであり、使用者の脇を支える脇当て部と、使用者が握持するための握持部を有する杖において、後方に向かって弧状に湾曲した棒状の杖体の内周側に脇当て部と握持部を突設すると共に、杖体の下端が上記の脇当て部から下降する垂線より後方に位置するように湾曲度合いを設定したことを特徴とする
【０００８】
また、ここでは、使用者の脇を支える脇当て部と、使用者が握持するための握持部を有する杖において、後方に向かって弧状に湾曲した棒状の杖体の内周側に脇当て部と握持部を突設すると共に、杖体の下端が上記の脇当て部から下降する垂線より後方に位置するように湾曲度合いを設定し、更に杖体に対して上下方向に揺動自在となるように脇当て部の一端を杖体に枢支すると共に所定の角度で固定可能な手段を設けたことを特徴とする杖も第２考案として開示する。
【０００９】
また、使用者の脇を支える脇当て部と、使用者が握持するための握持部を有する杖において、後方に向かって弧状に湾曲した棒状の杖体の内周側に脇当て部と握持部を突設すると共に、杖体の下端が上記の脇当て部から下降する垂線より後方に位置するように湾曲度合いを設定し、更に杖体に対して上下方向に揺動自在となるように脇当て部の一端を杖体に枢支すると共に、所定の負荷以下では脇当て部が揺動軌跡の一点に止まるように付勢力により脇当て部の動きを規制したことを特徴とする杖も第３考案として開示する。
【００１０】
また、使用者の脇を支える脇当て部と、使用者が握持するための握持部を有する杖において、後方に向かって弧状に湾曲した棒状の杖体の内周側に脇当て部と握持部を突設すると共に、杖体の下端が上記の脇当て部から下降する垂線より後方に位置するように湾曲度合いを設定し、更に杖体に対して上下方向に揺動自在となるように脇当て部の一端を杖体に枢支すると共に、所定の負荷以下では脇当て部が揺動軌跡の一点に止まるように付勢力により脇当て部の動きを規制し、上記揺動軌跡の一点が存する角度は予め所望の角度に設定可能としたことを特徴とする杖も第４考案として開示する。
【考案の効果】
【００１１】
以上の構成よりなるこの考案の杖によれば、図７に示すように杖体１を１本として後方に向かって弧状に湾曲させると共に、杖体の下端が脇当て部３から下降する垂線Ｓより後方に位置するように湾曲度合いを設定しているので、脇の直下、すなわち垂線Ｓの地面Ｇへの当接点Ｐ１に加わっている使用者の荷重は杖体の先端の地面Ｇへの当接点Ｐより前方に位置することとなり、使用者の前方への体重移動が容易となり杖を使用した歩行が楽になる効果を奏する。更に、この場合、杖体は湾曲しているので、そのしなりによる弾性変形により、杖体の地面に対する急激な着地があった場合に使用者に与える衝撃を緩和したり、コンクリートなどの固い地面において歩行する際の杖体からの衝撃を緩和したりする効果も期待できる。
【００１２】
また、図６に示すように杖体Ｔの下端が使用者の脇の直下の地面Ｇに当接している従来技術の杖に比べ、この考案の杖体１の下端はそれより後方に当接しているので、歩行のために脇の中心Ｘを軸として杖体１を前方に降り出した際の杖体の先端の到達距離Ａ１は従来技術の杖体ＴのＢ１に比べて短くて済み、前方に障害物がある場合でも従来技術の杖のように歩幅を縮めなくて済む効果を奏する。
【００１３】
また、前記においてやはり図６に示すように、杖体１を前方に降り出した際の杖体の先端の地面Ｇに対する高さＡ２は、同じ角度を振り出した場合の従来技術の杖体ＴのＢ２に比べて低くなり、振り出し開始と終了の間の地上高の差が少なく済み、杖の安定した着地を得られる効果を奏する。
【００１４】
次に、杖体１に対して上下方向に揺動自在となるように脇当て部３の一端を杖体に枢支すると共に所定の角度で固定可能とした第２考案の場合は、図７に示すように、例えば脇当て部と杖体との角度α１に対し（（Ａ）の状態）、これより大きい角度α２になるように変えた場合は（（Ｂ）の状態）、杖体の先端が地面Ｇに当接する位置Ｐは脇当て部から下降する垂線Ｓにより近くなり、逆の場合は遠くなる。よって、この考案によれば杖体１に対する脇当て部３の角度を変えることにより杖体に対する使用者の荷重の位置を調整できるので、使用者において最適な使い心地の杖を得ることが可能となる効果を奏する。
【００１５】
次に、杖体に対して上下方向に揺動自在となるように脇当て部の一端を杖体に枢支すると共に、所定の負荷以下では脇当て部が揺動軌跡の一点に止まるように付勢力により脇当て部の動きを規制した第３考案の場合は、杖体の地面に対する急激な着地があった場合に使用者に与える衝撃を緩和することができ、また、コンクリートなどの固い地面において歩行する際の杖体からの衝撃を緩和することもでき、使用者に対する負担が少ない杖を得ることが可能となる効果を奏する。
【００１６】
以上のようにこの考案によれば、歩行しやすく使用者に対する負担が少ない杖が実現されるものであり、杖体が１本であり軽量であることも相まって使用しやすい杖が実現されることとなる。
【考案を実施するための最良の形態】
【００１７】
以下、この考案の具体的実施例を添付図面に基づいて説明する。図１〜図７は第４考案の実施例を示す図である。図中符号１は杖体であり、金属や軽量樹脂により構成される。図中符号３は使用者の脇の下に入れて体重を支えるための鞍状の脇当て部であり、杖体１の上端に後方に突出するように設けられる。上記の脇当て部３は軸１０を中心として杖体の上端に対して上下方向に揺動自在となるように枢支されると共に所定の角度で固定可能な手段が設けれられるものであり、その枢支機構の詳細は後記する。図中符号２は使用者が握持するための握り手状の握持部であり、杖体１の中途に後方に突出するように設けられる。
【００１８】
前記の杖体１は後方に向かって弧状に湾曲した棒状に構成されるものであり、前記の脇当て部３と握持部２はその内周側に突設される。そして、杖体１はその下端が上記の脇当て部３から下降する垂線Ｓより後方に位置するように湾曲度合いが設定される（図７参照）。また、この実施例においては杖体１の先端を進退自在とすると共に、伸長方向に位置するように付勢力を与えることにより、着地時の緩衝作用を持たせている。
【００１９】
図４及び図５は前記の脇当て部の枢支機構の詳細を示す図である。この枢支機構は杖体１の上方に設けた穴１５内に弾性片１７により回転方向への移動を規制して内装された軸受け１２と、軸受け１２及び脇当て部３に回転方向への移動を規制して挿入されるスプライン軸１０からなる。
【００２０】
軸受け１２は上記の穴１５の内周壁に摺接する一対の翼状片１４、１４が円柱状の本体左右に突設され、一方、穴の内周壁からは軸受けの円柱状の本体外周に摺接する一対の翼状片１６、１６が突設される。また、隣接する軸受け１２の翼状片１４と穴１５の翼状片１６間にはエラストマー等からなる弾性片１７が充填される。よって、軸受け１２の翼状片１４、１４と杖体１の穴１５の内周壁との摺接と、穴１５の翼状片１６、１６と軸受けの本体外周との摺接により軸受けは回転自在に穴内に挿入され、更に弾性片１７により回転方向への移動が規制されることになる。
【００２１】
以上の枢支機構は杖体１の穴１５に内装された軸受け１２に対し、先端が二股状になった脇当て部３を所要の角度で外挿した後、それぞれ雌スプラインを刻設した軸受けの軸孔３及び脇当て部の軸孔１１にスプライン軸１０を貫挿し、更に螺子１９によりスプライン軸の両端に抜け止めの鍔片１８、１８を螺着することにより完成され、脇当て部は杖体に対して上下方向に揺動自在となるように枢支されると共に、所定の負荷以下では脇当て部は揺動軌跡の一点に止まるように付勢力によりその動きが規制されることになる。よって、脇当て部３は杖体１に対する角度が調整可能となると共に、付勢力に抗して回転可能となることにより回転方向への緩衝作用を生じることとなる。
【００２２】
図８はこの杖の第３考案の第１実施例を示す図である。この実施例は脇当て部３の枢支機構が前記の第４考案の実施例と異なるのみであり、その余の構成は共通する。ここでは杖体１の上方に設けた軸受け部４６に軸４８をもって脇当て部３が上下に揺動自在に枢支される共に、ひげバネ４２による付勢力により所定の負荷以下では揺動軌跡の一点に止まるように回転方向への移動が規制される。
【００２３】
この枢支機構はひげバネ４２の一端４３が杖体に穿設した保持孔４７に挿入されると共に、他端４４が螺子４５により脇当て部３の下端に螺着され、上記ひげバネを介挿しながら先端が二股状になった脇当て部３を軸受け部４６に外挿した後、軸受け部の軸孔及び脇当て部の軸孔に軸４８を貫挿し、更に螺子５０により軸の両端に抜け止めの鍔片４９、４９を螺着することにより完成される。
【００２４】
図９はこの杖の第３考案の第２実施例を示す図である。この実施例は脇当て部３の枢支機構が前記の第４考案の実施例と異なるのみであり、その余の構成は共通する。ここでは杖体１の上方に設けた軸受け部２４に軸２７をもって脇当て部３が上下に揺動自在に枢支される共に、弾性片２５による付勢力により所定の負荷以下では揺動軌跡の一点に止まるように回転方向への移動が規制される。
【００２５】
この枢支機構は脇当て部３から垂設された翼状片２２の両側と軸受け部２４の空隙２３の内周壁間に一対の弾性片２５、２５が充填された状態で、先端が二股状になった脇当て部を軸受け部に外挿した後、脇当て部の軸孔２２に抜け止めの鍔片２６、２６を介して螺子状の軸２７、２７を貫挿して上記の軸の先端を軸受け部に螺着することにより完成される。
【００２６】
図１０はこの杖の第３考案の第３実施例を示す図である。この実施例は脇当て部３の枢支機構が前記の第４考案の実施例と異なるのみであり、その余の構成は共通する。ここでは枢支機構は杖体１の上方に設けた軸受け部３４に軸３７をもって脇当て部３が上下に揺動自在に枢支される共に、弾性片３５による付勢力により所定の負荷以下では揺動軌跡の一点に止まるように回転方向への移動が規制される。
【００２７】
この枢支機構は弾性片３５の一端が軸受け部３４の凹部３３に挿入されると共に、他端が脇当て部３の凹部に挿入され、先端が二股状になった脇当て部を軸受け部３４に外挿した後、脇当て部の軸孔３１に抜け止めの鍔片３６、３６を介して螺子状の軸３７、３７を貫挿して上記の軸の先端を軸受け部に螺着することにより完成される。
【図面の簡単な説明】
【００２８】
【図１】この考案（第４考案）の杖の実施例の側面図。
【図２】同上、背面図。
【図３】同上、脇当て部付近の斜視図。
【図４】同上、脇当て部付近の分解斜視図。
【図５】同上、脇当て部付近の断面図。
【図６】同上、作用を示す側面図。
【図７】同上、作用を示す説明図。
【図８】この考案（第３考案）の杖の第１実施例の脇当て部付近の分解斜視図。
【図９】この考案（第３考案）の杖の第２実施例の脇当て部付近の分解斜視図。
【図１０】この考案（第３考案）の杖の第３実施例の脇当て部付近の一部切り欠き分解斜視図。
【符号の説明】
【００２９】
１                杖体
２                把持部
３                脇当て部
【図１】
0003125698.tif 000003
【図２】
0003125698.tif 000004
【図３】
0003125698.tif 000005
【図４】
0003125698.tif 000006
【図５】
0003125698.tif 000007
【図６】
0003125698.tif 000008
【図７】
0003125698.tif 000009
【図８】
0003125698.tif 000010
【図９】
0003125698.tif 000011
【図１０】
0003125698.tif 000012